(57)【特許請求の範囲】
【請求項１】
次の各構成を有することを特徴とする押ボタンスイッチ。
（イ）絶縁材料で形成された、側壁と、底とを有する容器状のハウジング
（ロ）前記ハウジングの側壁の内面に、その長手方向がこのハウジングの底を貫く中心軸と平行になるように保持固定された金属製の固定コンタクト
（ハ）一端が前記ハウジングの底に保持固定され、他端が前記固定コンタクトに近接するように配置された金属製の片持ちばねコンタクト
（ニ）絶縁材料で、側壁と、天板とを有するキャップ状に形成され、この側壁が、その外面を前記ハウジングの側壁の内面に沿わせ、かつ前記固定コンタクトと前記片持ちばねコンタクトとの間に挟み込まれるようにして前記ハウジング内をその中心軸方向に移動するピストン
（ホ）前記ピストンの側壁外側に露出した部分と側壁内側に露出した部分とを有してこのピストンの側壁に保持固定され、前記ピストンの側壁外側に露出した部分が前記固定コンタクトに常時弾性接触しながら、かつ前記ピストンの側壁内側に露出した部分が、前記ピストンの全移動範囲のうちの予め定められた範囲で前記片持ちばねコンタクトと弾性接触しながら前記ピストンの移動に応じてスライド移動する金属製のスライドコンタクト
（ヘ）前記ハウジングと前記ピストンとの間に挿入されて、前記ピストンが前記ハウジング内に押し込まれると前記ピストンに対し押し戻そうとする力を与えるスプリング
【請求項２】
前記ピストンの側壁の、前記片持ちばねコンタクトと前記スライドコンタクトとの弾性接触範囲と対応する部分を開孔してこの開孔部分に、前記スライドコンタクトの前記片持ちばねコンタクトとの弾性接触部分を、その表面が、前記ピストンの側壁内側の、前記片持ちばねコンタクトとの接触面と同一な面になるように露出配置した請求項１記載の押ボタンスイッチ。
【発明の詳細な説明】
【０００１】
【発明の属する技術分野】
本発明は押ボタンスイッチに関し、特にピストンの移動によりコンタクト間の導通、非導通を制御する押ボタンスイッチに属する。
【０００２】
【従来の技術】
押ボタンスイッチは、多くの場合、押ボタンとなるピストンの押し込み、押し戻しにより、コンタクト間の導通、非導通を制御する。このような押ボタンスイッチの従来の代表的な一例（第１の例）を図３及び図４に示す。
この押ボタンスイッチは、円筒状の側壁１１、及び底１２を含み絶縁材料で円筒容器状に形成されたハウジング１０と、このハウジング１０の側壁１１の内面に、その長手方向がハウジング１０の円筒中心軸と平行になるように保持固定され、かつ底１２を貫いてコンタクト端子２１に接続する固定コンタクト２０と、一端がハウジング１０の底１２に保持固定され、他端が固定コンタクトに弾性接触するように配置され、かつハウジング１０の底１２を貫いてコンタクト端子３１ｘに接続する片持ちばねコンタクト３０ｘと、円筒状の側壁４１ｘ、及び天板４２を含み絶縁材料でキャップ状に形成され、側壁４１ｘの外面をハウジング１０の側壁１１の内面に接し、かつ側壁４１ｘを固定コンタクト２０と片持ちばねコンタクト３０ｘとの間に挟み込むようにしてハウジング１０内をその円筒中心軸方向に移動し、固定コンタクト２０と片持ちばねコンタクト３０ｘとの間に挟み込まれた側壁４１ｘの、全移動範囲のうちの予め定められ範囲部分が開孔した（開孔部４３ｘ）ピストン４０ｘと、ハウジング１０の底１２とピストン４０ｘとの間に挿入されて、ピストン４０ｘがハウジング１０内に押し込まれるとピストン４０ｘに対しハウジング１０の内側から外側へ押し出す力（押し戻そうとする力）を与えるスプリング６０と、ハウジング１０の底１２に保持固定されたランプ７０及びランプ端子８０とを有する構成、構造となっている。
【０００３】
この押ボタンスイッチにおいて、ピストン４０ｘがハウジング１０内に押し込まれていない状態では、固定コンタクト２０と片持ちばねコンタクト３０ｘとの間にピストン４０ｘの側壁４１ｘが挿入されてこれらは互いに電気的に絶縁されているが、ピストン４０ｘがハウジング１０内に押し込まれると、ピストン４０ｘの側壁４１ｘの開孔部４３ｘが固定コンタクト２０と片持ちばねコンタクト３０ｘとの弾性接触部位に移動し、これら固定コンタクト２０と片持ちばねコンタクト３０ｘとが電気的に接続する。
なお、ピストン４０ｘの側壁４１ｘの、固定コンタクト２０及び片持ちばねコンタクト３０ｘ摺動部分は、これらの摺動が円滑に行なわれるように、溝構造となっている。また、ランプ７０は、固定コンタクト２０と片持ちばねコンタクト３０ｘとの間が接続（導通）状態か、非接続（非導通）状態かを表示するために設けられている。
【０００４】
図５（ａ），（ｂ）は従来の押ボタンスイッチの第２の例の、ピストンが押し込まれる前と押し込まれた後の状態を示す部分断面側面図である（例えば、実開昭５７−４５１２４号公報参照）。
この第２の例の押ボタンスイッチは、筒型の側壁９１、及び底９２を含み絶縁材料で形成されたホルダ９０と、一端がこのホルダ９０の底９２の部分にそれぞれ固定されてホルダ９０の内部中央部分で互いに弾性接触し、かつ底９２を貫いてコンタクト端子３１ｙ，３１ｚに対応接続する片持ちばねコンタクト３０ｙ，３０ｚと、円筒壁４４、及び天板４２ｙを含み絶縁材料でキャップ状に形成され、その円筒中心軸をホルダ９０の中心軸に合わせて移動するピストン４０ｙと、このピストン４０ｙの天板４２ｙから延び、ピストン４０ｙがホルダ９０内に押し込まれていないときは片持ちばねコンタクト３０ｙ，３０ｚ間の弾性接触部分に挿入されてこれら片持ちばねコンタクト３０ｙ，３０ｚ間を電気的に絶縁し、押し込まれているときには弾性接触部分間から外れて片持ちばねコンタクト３０ｙ，３０ｚ間を弾性接触させて電気的に接続させる絶縁材料製の操作片４５と、ホルダ９０とピストン４０ｙとの間に挿入されて、ピストン４０ｙがホルダ９０内に押し込まれるとピストン４０ｙに対しホルダ９０の内側から外側へ押し出す力を与えるスプリング６０ｙとを有する構成、構造となっている。
なお、ホルダ９０の側壁９１には、ピストン４０ｙの円筒壁４４が挿入、移動する溝９３が形成され、この溝９３にスプリング６０ｙが挿入されて、ピストン４０ｙを押し出す力を与える構造となっている。
【０００５】
【発明が解決しようとする課題】
上述した従来の押ボタンスイッチは、第１の例では、固定コンタクト２０及び片持ちばねコンタクト３０ｘがハウジング１０に、片持ちばねコンタクト３０ｘの先端が固定コンタクト２０に弾性接触するように配置、固定され、ピストン４０ｘの、開孔部４３ｘが設けられた側壁４１ｘを、固定コンタクト２０と片持ちばねコンタクト３０ｘとの間に挟み込んで、ピストン４０ｘをハウジング１０内に押し込み、またスプリング６０の力で押し出すように移動させ、固定コンタクト２０と片持ちばねコンタクト３０ｘとが弾性接触する部分に開孔部４３ｘを移動させることによりこれらを互いに電気的に接続させ、他の部分では電気的に絶縁する構成、構造となっているので、塵埃の多い場所などで使用して、固定コンタクト２０及び片持ちばねコンタクト３０ｘの弾性接触面に塵埃が付着した場合に、互いに相手方の塵埃をこすり落す（ワイピング）というようなことがないだけでなく、ピストン４０ｘの側壁４１ｘが移動することによってその弾性接触面がこすられて塵埃が除去される場合もあるものの、かえって側壁４１ｘが削り落されて弾性接触面に付着し、導通不良が発生しやすくなる、という問題点があり、第２の例でも、片持ちばねコンタクト３０ｙ，３０ｚ間ではワイピングはなく、操作片４５の移動によってかえってこの操作片４５が片持ちばねコンタクト３０ｙ，３０ｚに削り落されて弾性接触面に付着し、導通不良が発生しやすくなる、という問題点がある。
【０００６】
本発明の目的は、コンタクトの弾性接触面を金属でワイピングし、塵埃の多い場所で使用しても導通不良の発生を防止して接続信頼性を高めることができる押ボタンスイッチを提供することにある。
【０００７】
【課題を解決するための手段】
本発明の押ボタンスイッチは、上記の目的を達成するために次の各構成を有することを特徴とする。
（イ）絶縁材料で形成された、側壁と、底とを有する容器状のハウジング
（ロ）前記ハウジングの側壁の内面に、その長手方向がこのハウジングの底を貫く中心軸と平行になるように保持固定された金属製の固定コンタクト
（ハ）一端が前記ハウジングの底に保持固定され、他端が前記固定コンタクトに近接するように配置された金属製の片持ちばねコンタクト
（ニ）絶縁材料で、側壁と、天板とを有するキャップ状に形成され、この側壁が、その外面を前記ハウジングの側壁の内面に沿わせ、かつ前記固定コンタクトと前記片持ちばねコンタクトとの間に挟み込まれるようにして前記ハウジング内をその中心軸方向に移動するピストン
（ホ）前記ピストンの側壁外側に露出した部分と側壁内側に露出した部分とを有してこのピストンの側壁に保持固定され、前記ピストンの側壁外側に露出した部分が前記固定コンタクトに常時弾性接触しながら、かつ前記ピストンの側壁内側に露出した部分が、前記ピストンの全移動範囲のうちの予め定められた範囲で前記片持ちばねコンタクトと弾性接触しながら前記ピストンの移動に応じてスライド移動する金属製のスライドコンタクト
（ヘ）前記ハウジングと前記ピストンとの間に挿入されて、前記ピストンが前記ハウジング内に押し込まれると前記ピストンに対し押し戻そうとする力を与えるスプリング
【０００８】
また、前記ピストンの側壁の、前記片持ちばねコンタクトと前記スライドコンタクトとの弾性接触範囲と対応する部分を開孔してこの開孔部分に、前記スライドコンタクトの前記片持ちばねコンタクトとの弾性接触部分を、その表面が、前記ピストンの側壁内側の、前記片持ちばねコンタクトとの接触面と同一な面になるように露出配置して構成される。
【０００９】
【発明の実施の形態】
本発明の一実施の形態は、側壁及び底を含む容器状に絶縁材料で形成されたハウジングと、このハウジングの側壁の内面に、その長手方向がこのハウジングの底を貫く中心軸と平行になるように配置固定された固定コンタクトと、一端が上記ハウジングの底に保持固定され他端が上記固定コンタクトに近接するように配置された片持ちばねコンタクトと、側壁及び天板を含むキャップ状に絶縁材料で形成され、この側壁が、その外面を上記ハウジングの側壁の内面に沿わせ、かつ上記固定コンタクト及び片持ちばねコンタクトの間に挟み込まれるようにして上記ハウジング内をその中心軸方向に移動するピストンと、このピストンの側壁外側に露出した部分と側壁内側に露出した部分とを有してこのピストンの側壁に保持固定され、上記ピストンの側壁外側に露出した部分が上記固定コンタクトに常時弾性接触しながら、かつ上記ピストンの側壁内側に露出した部分が、上記ピストンの全移動範囲のうちの予め定められた範囲で上記片持ちばねコンタクトと弾性接触しながら上記ピストンの移動に応じてスライド移動するスライドコンタクトと、上記ハウジング及びピストンの間に挿入されて、上記ピストンが上記ハウジング内に押し込まれると、上記ピストンに対し押し戻そうとする力を与えるスプリングとを有する構成、構造となっている。
【００１０】
このような構成、構造とすることにより、ピストンを押し込み、押し戻して移動させることにより、固定コンタクトとスライドコンタクトとが摺動して、これらコンタクトに付着した塵埃を互いにこすり落す（ワイピング）ことができ、一方、片持ちばねコンタクトとスライドコンタクトとが摺動して、これらコンタクトに付着した塵埃を、片持ちばねコンタクトがピストンの側壁をスライドして削り落して付着した塵埃を含めて互いにこすり落すことができるので、これらコンタクト間で導通不良が発生するのを防止することができ、接続信頼性を向上させることができる。
【００１１】
【実施例】
次に本発明の実施例について図面を参照して説明する。
図１（ａ），（ｂ）は本発明の一実施例の、ピストンを押し込む前及び押し込んだ後の状態を示す断面図、図２はその分解斜視図である。
この実施例は、図３及び図４に示された従来の押ボタンスイッチ（第１の例）と同様のハウジング１０及び固定コンタクト２０と、一端がハウジング１０の底１２に保持固定され、他端が固定コンタクト２０に近接するように配置され、かつハウジング１０の底１２を貫いてコンタクト端子３１に接続する片持ちばねコンタクト３０と、図３及び図４に示された従来の押ボタンスイッチとほぼ同様の構造で、側壁４１、天板４２、及び側壁４１に形成された開孔部４３を含んで絶縁材料によりキャップ状に形成され、側壁４１の外面をハウジング１０の側壁１１の内面に沿わせるように、かつ側壁４１を固定コンタクト２０と片持ちばねコンタクト３０との間に挟み込むようにしてハウジング１０内をその中心軸方向に移動するピストン４０と、このピストン４０の側壁４１外側に露出した部分と側壁４１内側に露出した部分とを有してこのピストン４０の側壁４１に保持固定され、側壁４１外側に露出した部分が常時固定コンタクト２０に弾性接触しながら、かつ側壁４１内側に露出した部分が、ピストン４０の全移動範囲のうちの予め定められた範囲で片持ちばねコンタクト３０と弾性接触しながらピストン４０の移動に応じてスライド移動するスライドコンタクト５０と、図３及び図４に示された従来の押ボタンスイッチと同様の機能をはたすスプリング６０、ランプ７０及びランプ端子８０とを有する構成、構造となっている。
【００１２】
この実施例において、ピストン４０がハウジング１０内に押し込まれていない状態（図１（ａ））では、固定コンタクト２０とスライドコンタクト５０とは互いに弾性接触しているが、片持ちばねコンタクト３０の先端はピストン４０の内部側壁４１の内面に接触していて、固定コンタクト２０と片持ちばねコンタクト３０との間は非導通状態となっている。ピストン４０がハウジング１０内に押し込まれると、固定コンタクト２０とスライドコンタクト５０とは互いに弾性接触の状態を維持しつづけ、更に、片持ちばねコンタクト３０の先端がスライドコンタクト５０と弾性接触し、このスライドコンタクト５０を介して、固定コンタクト２０と片持ちばねコンタクト３０とが導通状態となる。
【００１３】
また、ピストン４０の移動により、固定コンタクト２０とスライドコンタクト５０との間、及び片持ちばねコンタクト３０とスライドコンタクト５０との間で金属が互いに摺動し合って（こすり合って）弾性接触するので、塵埃の多い場所で使用して弾性接触面に塵埃等が付着していても、また、片持ちばねコンタクト３０が側壁４１を摺動してその削り屑が弾性接触面に付着しても、これらは互いにこすり落され、接触不良、導通不良をなくすことができ、従って接続信頼性を向上させることができる。
【００１４】
なお、この実施例では、ピストン４０の側壁４１の、片持ちばねコンタクト３０とスライドコンタクト５０との弾性接触範囲と対応する部分を開孔して（開孔部４３）その開孔部４３に、スライドコンタクト５０の片持ちばねコンタクト３０との弾性接触部分を、その表面がピストン４０の側壁４１内側の、片持ちばねコンタクト３０との接触面と同一な面になるように露出配置した構造となっている。このような構造を必ずしも採用する必要はないが（例えば開孔部４３を設けなくてもよい）、このような構造にすると、スライドコンタクト５０の、ピストン４０への取付けが容易になるほか、片持ちばねコンタクト３０の、側壁４１及びスライドコンタクト５０に対する摺動が円滑になるという利点がある。
【００１５】
【発明の効果】
以上説明したように本発明は、ピストンの側壁に保持固定され、この側壁外側に露出した部分が固定コンタクトに常時弾性接触しながら、かつこの側壁内側に露出した部分が、ピストンの全移動範囲のうちの予め定められた範囲で片持ちばねコンタクトと弾性接触しながらこのピストンと共にスライド移動するスライドコンタクトを設けた構成、構造とすることにより、ピストンの移動によって、固定コンタクトとスライドコンタクトとの間、及び片持ちばねコンタクトとスライドコンタクトとの間で金属が互いに摺動し合って（こすり合って）弾性接触するので、塵埃の多い場所で使用して弾性接触面に塵埃が付着したとしても、また片持ちばねコンタクトの弾性接触面にピストン側壁の削り屑が付着したとしても、これらはこすり落されて、接触不良、導通不良が発生するのを防止することができ、接続信頼性を高めることができる効果がある。
【図面の簡単な説明】
【図１】本発明の一実施例のピストンを押し込む前、及び押し込んだ後の状態を示す断面図である。
【図２】図１に示された実施例の分解斜視図である。
【図３】従来の押ボタンスイッチの第１の例のピストンを押し込む前、及び押し込んだ後の状態を示す断面図である。
【図４】図３に示された押ボタンスイッチの分解斜視図である。
【図５】従来の押ボタンスイッチの第２の例のピストンを押し込む前、及び押し込んだ後の状態を示す部分断面側面図である。
【符号の説明】
１０  ハウジング
１１  側壁
１２  底
２０  コンタクト
３０，３０ｘ〜３０ｚ  片持ちばねコンタクト
４０，４０ｘ，４０ｙ  ピストン
４１，４１ｘ  側壁
４２，４２ｘ  天板
４３，４３ｘ  開孔部
４４  円筒壁
４５  操作片
５０  スライドコンタクト
６０，６０ｙ  スプリング
９０  ホルダ
９１  側壁
９２  底
９３  溝
【図１】
0003584350.tif 000002
【図２】
0003584350.tif 000003
【図３】
0003584350.tif 000004
【図４】
0003584350.tif 000005
【図５】
0003584350.tif 000006